(57)【要約】【課題】  Ｐ型火災報知設備において、火災発報信号を発生したか否かを検出する対象である火災感知器の数が多くても、火災発報信号を発生したか否かを検出する動作を制御するソフトウェアが簡素であり、また、全ての火災感知器についてどの火災感知器が発報したかを検出する時間が長くならないＰ型火災報知設備およびその火災感知器を提供することを目的とするものである。【解決手段】  火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを有するＰ型火災報知設備における火災感知器である。【選択図】  図１
2005293234.tif 000002
【特許請求の範囲】
【請求項１】
火災感知器回線を介してスイッチング動作による火災発報信号を出力する火災発報手段と；
火災発報してから所定時間が経過した後に、上記火災発報を停止する火災発報停止手段と；
上記火災発報を停止してから、所定のタイミングで、火災受信機に火災発報したか否かを通知する火災発報有無通知手段と；
を有することを特徴とするＰ型火災報知設備における火災感知器。
【請求項２】
請求項１において、
上記火災発報有無通知手段は、パルス幅を変えることによって、火災発報の有無を区別する手段であることを特徴とするＰ型火災報知設備における火災感知器。
【請求項３】
複数の火災感知器回線と；
上記各火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを具備する複数の火災感知器と；
上記複数の火災感知器を接続し、火災信号受信手段と、上記複数の火災感知器をポーリングするポーリング手段とを具備する火災受信機と；
を有することを特徴とするＰ型火災報知設備。
【請求項４】
請求項３において、
上記火災感知器が火災発報を停止したタイミングを検出する火災発報停止タイミング検出手段を有し、
上記ポーリング手段は、上記火災発報停止タイミングの後に、所定のコマンドを、火災感知器に送信することによって、ポーリングする手段であることを特徴とするＰ型火災報知設備。
【請求項５】
請求項３において、
上記ポーリング手段は、所定時間毎に所定のパルスを出力するフォーマットによって、複数の上記火災感知器をポーリグする手段であることを特徴とするＰ型火災報知設備。
【請求項６】
請求項５において、
上記火災感知器は、上記フォーマットにおける複数の上記所定パルスの所定個数目のパルスを受信したときに、自己の火災感知器がポーリングされたと認識する火災感知器であることを特徴とするＰ型火災報知設備。
【発明の詳細な説明】
【技術分野】
【０００１】
本発明は、Ｐ型火災報知設備およびその火災感知器に係り、特に、マイコンを内蔵する火災感知器に関する。
【背景技術】
【０００２】
従来、いわゆるＰ型の火災報知設備において、火災受信機に複数の回線が接続され、上記複数の回線のそれぞれに対応して、火災発報信号を受信する火災発報信号受信回路が火災受信機に設けられ、所定の回線で火災発報信号が発生すると、火災受信機は、どの回線において火災発報されたかを認識することができる（たとえば、特許文献１参照）。
【０００３】
従来のＰ型火災報知設備においては、どの回線において火災発報信号が発生したかを、火災受信機が認識することができるが、その回線に設けられている複数の火災感知器のうちのどの火災感知器が火災発報したかを認識することができない。
【特許文献１】特開平７−２００９６２号公報
【発明の開示】
【発明が解決しようとする課題】
【０００４】
上記従来のＰ型火災報知設備において、火災発報した回線に接続されている複数の火災感知器のうちのどの火災感知器が火災発報したかを、火災受信機が認識できるようにするためには、複数の火災感知器のそれぞれに固有のアドレスを付与し、火災発報した後に、火災受信機が火災感知器をポーリングし、火災発報の有無を返信させることが考えられる。
【０００５】
つまり、火災受信機が火災発報信号を受信した後に、火災受信機が、１つ目の火災感知器のアドレスを指定し、火災発報の有無を返送するコマンドを送信し、このコマンドを受けた１つ目の火災感知器が、自己のアドレスと自己が火災発報したかどうかを示す返送信号とを火災受信機に返送する。
【０００６】
次に、火災受信機が、２つ目の火災感知器のアドレスを指定し、火災発報の有無を返送するコマンドを送信し、このコマンドを受けた２つ目の火災感知器が、自己のアドレスと自己が火災発報したかどうかを示す返送信号とを火災受信機に返送する。
【０００７】
同様にして、３つ目以降のそれぞれ火災感知器について、そのアドレスとコマンドとを送信し、これに応じて、該当する火災感知器が、自己のアドレスと自己が火災発報したかどうかを示す返送信号とを火災受信機に返送する。
【０００８】
つまり、Ｐ型火災報知設備において、火災感知器毎に、アドレスとコマンドとを送信し、また、自己のアドレスと自己が火災発報したかどうかを示す返送信号とを火災受信機に返送するので、火災発報信号を発生したか否かを検出する対象である火災感知器の数が多いと、火災発報信号を発生したか否かを検出する動作を制御するソフトウェアが複雑であるという問題があり、また、全ての火災感知器についてどの火災感知器が発報したかを検出する時間が長いという問題がある。
【０００９】
本発明は、Ｐ型火災報知設備において、火災発報信号を発生したか否かを検出する対象である火災感知器の数が多くても、火災発報信号を発生したか否かを検出する動作を制御するソフトウェアが簡素であり、また、全ての火災感知器についてどの火災感知器が発報したかを検出する時間が長くならないＰ型火災報知設備およびその火災感知器を提供することを目的とするものである。
【課題を解決するための手段】
【００１０】
本発明は、火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを有するＰ型火災報知設備における火災感知器である。
【００１１】
また、本発明は、複数の火災感知器回線と、上記各火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを具備する複数の火災感知器と、上記複数の火災感知器を接続し、火災信号受信手段と、上記複数の火災感知器をポーリングするポーリング手段とを具備する火災受信機とを有するＰ型火災報知設備である。
【発明の効果】
【００１２】
本発明によれば、Ｐ型火災報知設備において、火災発報信号を発生したか否かを検出する対象である火災感知器の数が多くても、火災発報信号を発生したか否かを検出する動作を制御するソフトウェアが簡素であるという効果を奏し、また、全ての火災感知器についてどの火災感知器が発報したかを検出する時間が長くならないという効果を奏する。
【発明を実施するための最良の形態】
【００１３】
発明を実施するための最良の形態は、以下の実施例である。
【実施例１】
【００１４】
［基準パルスによるタイミング］
図１は、本発明の実施例１であるＰ型火災報知設備ＰＳ１を示す図である。
【００１５】
Ｐ型火災報知設備ＰＳ１では、１台の火災受信機ＲＥに、複数の火災感知器ＳＥが接続されている。
【００１６】
各火災感知器ＳＥは、火災受信機ＲＥから電源が供給され、煙濃度や周辺温度等の物理量を計測し、これによって、火災監視を行っている。
【００１７】
図２は、Ｐ型火災報知設備ＰＳ１における火災受信機ＲＥ１を示すブロック図である。
【００１８】
図２に示す火災受信機ＲＥ１は、図１に示す火災受信機ＲＥとして用いられるもので、電源部１１と、信号送信回路１２と、信号受信回路１３と、火災検出回路１４と、断線検出回路１５と、制御回路１６と、メイン制御部１７と、表示操作部１８とを有し、電源兼信号線ＣおよびＬ１〜Ｌｎが接続されるコモン端子と複数のライン端子とを備えて複数の火災感知器ＳＥが設けられる。
【００１９】
電源兼信号線ＣとＬ１〜Ｌｎとの間で各回線が構成され、それぞれの端末部分に終端器が配置されている。そして、火災受信機ＲＥ１内のブロック構成のうちで、回線毎に、信号送信回路１２と、信号受信回路１３と、火災検出回路１４と、断線検出回路１５と、制御回路１６とが配置されている。
【００２０】
図３は、Ｐ型火災報知設備ＰＳ１における火災感知器ＳＥ１を示すブロック図である。
【００２１】
図３に示す火災感知器ＳＥ１は、図１または図２の火災感知器ＳＥとして用いられるもので、発光回路３１ａ１と、受光回路３１ａ２と、増幅回路３１ｂと、伝送送信回路４１と、伝送受信回路４２と、定電圧回路５１と、電源回路５２と、充電回路５３と、計時回路６１と、制御回路としてのマイコン７１と、クロック発振回路８１と、アドレス等が格納されるＥＥＰＲＯＭ９１とダイオードブリッジＤＢとを有する。
【００２２】
図４は、図３に示す火災感知器ＳＥ１に設けられている伝送送信回路４１を示す回路図である。
【００２３】
伝送送信回路４１は、トランジスタＱｙ１、Ｑｙ２と、ツェナ−ダイオードＺｙと、復旧検出回路５０とを有し、復旧検出回路５０は、トランジスタＱｚと、ダイオードＤｚとを有する。
【００２４】
火災感知器ＳＥ１が火災発報信号を送信する場合、マイコン７１の対応するポートを、Ｈｉレベルに維持する。このＨｉレベルが、ＮＰＮトランジスタＱｙ１のベースに供給されるので、トランジスタＱｙ１が導通し、ツェナ−ダイオードＺｙを介して、トランジスタＱｙ２が導通状態になる。このままマイコンポートの出力が、Ｈｉレベルを維持できれば、ダイオードブリッジＤＢを介して、火災感知器ＳＥ１の電源兼信号線Ｃ、Ｌ間が低インピーダンス状態に略短絡される（回線の電圧が、たとえば７Ｖになる）。ここで、「Ｈｉレベル」は、マイコン７１のポートへの入力について、基準レベル以上の有電圧（たとえば、２４Ｖ）であり、「Ｌｏレベル」は、逆の低い電圧である（たとえば、７Ｖである）。またＨｉ出力、Ｌｏ出力は、上記Ｈｉレベル、Ｌｏレベルと同様である。
【００２５】
なお、この状態では、トランジスタＱｙ１のコレクタが、グランドＧＮＤに導通しているので、トランジスタＱｚのエミッタ側がグランドＧＮＤに接続され、しかも、ダイオードＤｚを介して、定電圧回路５１の出力電圧である＋Ｖｃｃに接続されているトランジスタＱｚも導通状態になるので、ダイオードＤｚのアノード側が低電位になり、マイコン７１への火災信号入力にＬｏ電圧が送られる。このようにして火災受信機ＲＥ側から電圧が供給される限り、この状態が続き、火災出力状態が保持される。
【００２６】
図５は、図３に示す火災感知器ＳＥ１における伝送受信回路４２の回路図である。
【００２７】
伝送受信回路４２は、従来例とは逆に、電源兼信号線Ｃ、Ｌ間の電圧が閾値よりも高い場合に、電流が少なく、また、電源兼信号線Ｃ、Ｌ間の電圧が、閾値よりも低い場合に、電流が大きくなる回路である。
【００２８】
伝送受信回路４２では、ツェナーダイオードＺｘのツェナー電圧と、抵抗Ｒｘ１、Ｒｘ２の抵抗値とによって、閾値が決まる。トランジスタＱｘは、ＭＯＳ‐ＦＥＴであり、ゲート・ソース間電圧が一定電圧（ＯＮ電圧）以上になると、ソース・ドレイン間が導通する。
【００２９】
すなわち、火災感知器ＳＥ１の電源兼信号線Ｃ、Ｌ間に加えられた電圧から、ダイオードブリッジＤＢの電圧降下、ツェナーダイオードＺｘのツェナー電圧を差し引き、抵抗Ｒｘ１、Ｒｘ２で分割された電圧値が、＋Ｖｃｃ電圧からトランジスタＱｘのＯＮ電圧とダイオードＤｘの順方向電圧とを差し引いた値よりも、低くなり、トランジスタＱｘのソース・ゲート間電圧がＯＮ電圧以上になると、トランジスタＱｘのソース・ドレイン間が導通し、抵抗Ｒｘ４に、＋Ｖｃｃ電圧がかかるので、マイコン７１へＨｉ電圧が入力される。
【００３０】
よって、電源兼信号線Ｃ、Ｌ間に加えられている電圧が高い状態（すなわち平常時の監視状態）が、トランジスタＱｘを確実に遮断状態にするようになり、また、伝送コマンドで、Ｌｏ電圧とすべき電圧以下でトランジスタＱｘが導通状態になるように、トランジスタＱｘ、ツェナーダイオードＺｘ、抵抗Ｒｘ１、Ｒｘ２を選択すればよい。
【００３１】
なお、トランジスタＱｘとして、Ｐｃｈ  ＭＯＳ‐ＦＥＴを使用しているが、ＰＮＰトランジスタを使用するようにしてもよい。
【００３２】
上記実施例によれば、伝送受信回路の電圧検出回路の入力電圧が高いときに、判定回路の消費電流が低く、上記入力電圧が低いときに、判定回路の消費電流が大きくなるので、通常時における火災感知器ＳＥ１の消費電流が少ない。
【００３３】
図６は、図３に示す火災感知器ＳＥ１における確認灯回路８０の具体例を示す回路図である。
【００３４】
確認灯回路８０は、エミッタフォロア回路である。従来の火災感知器において、確認灯回路としてエミッタフォロア回路を採用する例は存在している。火災感知器に加えられる電圧は、公称２４Ｖであるが、実際は１７〜３０Ｖまで変動する。変動する電圧に対して、一定の明るさを得るためには、定電流を得ることができるエミッタフォロア回路が好都合である。
【００３５】
図６に示す確認灯回路８０は、エミッタフォロア回路では本来、不要であるベース抵抗Ｒ１が挿入されている点と、そのベース抵抗Ｒ１とベースとの間における信号を、電圧判別手段に導く点とに特徴がある。
【００３６】
これによって、万一、確認灯ＬＡが球切れになった場合、コレクタに供給される電流がなくなるので、ベース電流が増加し、ベース抵抗Ｒ１による電圧降下が増大する。したがって、抵抗Ｒ１とベースとの接続点の電圧を、電圧判定手段で判別すれば、確認灯ＬＡの球切れを発見することができる。
【００３７】
Ｐ型火災報知設備ＰＳ１において、火災監視の結果、警報を出す必要があるレベルにまで物理量が増加すると、火災感知器ＳＥは、火災受信機ＲＥに対して、自らの電源線（伝送回線）を短絡する方法、いわゆるスイッチング動作によって、回線の電流を増加させ、火災を知らせる。
【００３８】
また、火災でない場合には、自動点検結果が妥当であるか否かを自ら判断し、火災受信機ＲＥの問いかけに応じて、その判断結果を送出する。
【００３９】
次に、実施例1の動作について説明する。
【００４０】
図７は、実施例１におけるポーリング伝送の例を示す図である。
【００４１】
図７において、「親」は、図１における火災受信機ＲＥであり、「子」は、火災感知器ＳＥである。
【００４２】
図７（１）は、火災受信機ＲＥが出力する信号を示し、図７（２）は、火災感知器ＳＥが出力する信号を示す図である。
【００４３】
上記実施例においてポーリング伝送する場合、火災受信機ＲＥが、回線毎に、複数設けられる火災感知器ＳＥに個別のアドレスが付与され、そのアドレスに基づいて火災感知器ＳＥをグループ化し、１５アドレス単位で（アドレス１〜アドレス１５毎に）、火災感知器ＳＥのデータを収集するもので、火災感知器ＳＥの火災発報信号に基づいて、起動パルス、基準パルス、火災ポーリング１を送出する。
【００４４】
火災発報信号は、火災を検出した火災感知器が出力する信号であり、たとえば１．６４５Ｓ±３５ｍｓの幅のＬｏパルスである。そして、この火災発報信号の後に、火災感知器が火災発報をＯＦＦすることによって、たとえば１ｍｓ以上のＯＦＦ信号（たとえば、２４Ｖの信号）を出力する。すなわち、図７（２）に示すように、火災感知器ＳＥは、火災発報してから所定時間が経過した後に、火災発報を停止する。
【００４５】
起動パルスは、火災感知器ＳＥの火災発報信号と、その後の火災発報停止信号とを受け、火災発報停止の所定のタイミングを検出し、そのタイミング後に、火災感知器ＳＥのマイコン７１を起動させる起動パルスであり、火災受信機ＲＥは、パルス幅２ｍｓのＬｏパルスとパルス幅１８ｍｓのＨｉパルスとを送出する。火災感知器ＳＥは、マイコン７１をスリープモードから復帰させ、基準パルス受信に備える。なお、マイコン７１は、火災検出動作等の必要な動作後はスリープモードに入るものであり、この状態からスタートして安定する時間が必要となる。
【００４６】
基準パルスは、伝送上のパルス間隔の基本長となる基準パルスであり、立ち下がりエッヂ間隔（Ｈ→Ｌ〜Ｈ→Ｌ）で４ｍｓとする。
【００４７】
図８は、実施例１の説明図である。
【００４８】
火災ポーリング１は、火災感知器ＳＥへの制御コマンドであり、８ビットのコードを４つのパルス間隔で示し、各パルス間隔のそれぞれについて、図８に示すように、各パルス間隔を判断してコードに置き換える。
【００４９】
図８に示すように、立ち下がりエッヂ間隔（ｔｂ）で、２ビットのコードを示す。
【００５０】
図９は、実施例１の説明図である。
【００５１】
たとえば、図９に示す制御コマンド火災ポーリング１は、１０１１０１０１ｂ＝Ｂ５ｈとなる。そして、制御コマンド火災ポーリング１のコード内容は、図９に示すようにする。つまり、ｂ７〜ｂ３の５ビットで、ここでは１０１１０ｂで回線を指定し、ｂ２，ｂ１の２ビットで、ここでは１０で、火災感知器ＳＥの制御コマンドとセレクティングを指示し、ｂ０の奇数パリティを付加する。火災感知器ＳＥは、パリティエラーを検出した場合、無応答とする。
【００５２】
そして、図７に示す伝送待機時に、火災感知器ＳＥは、制御コマンド火災ポーリング１の解析等を行う。
【００５３】
図１０は、実施例１の説明図である。
【００５４】
スロット０〜１４（アドレス１〜１５にそれぞれ対応するスロット）は、火災感知器ＳＥから火災受信機ＲＥへ送信するタイミングを定めるものであり、ポーリング１またはポーリング２と、自己のアドレスに基づくスロット位置とで、図１０に示すように規定する。
【００５５】
火災感知器ＳＥは、規定されたスロットに、図１０に示すパルスを送信する。
【００５６】
この火災感知器ＳＥからのパルスは、マイコン７１が、図３に示す伝送送信回路４１を介して出力し、この火災感知器ＳＥからのコードは、パルス幅を変えることによって表され、図７に示す例では、各火災感知器ＳＥにおける火災発報信号の有無を示す信号（自己が火災発報信号を出力したかどうかを示す信号）を返送するときの結果について示す。すなわち、その火災感知器が火災発報していなければ（火災感知器平常）であれば、パルス幅２ｍｓのパルスを返送し、一方、その火災感知器が火災発報していれば、パルス幅４ｍｓのパルスを１つ返送する。
【００５７】
したがって、火災感知器ＳＥは、図７（２）で示すように、火災発報を停止してから、所定のタイミング（自己アドレスに基づくスロット位置）で、火災受信機に火災発報したか否かを通知する。
【００５８】
火災ポーリング２は、火災ポーリング１と同様の８ビットの制御コードであり、コードの送・受信方法は、火災ポーリング１と同様である。そして、これら火災ポーリング１と火災ポーリング２との内容によって、制御内容を示す。
【００５９】
このような信号伝送を用い、火災受信機ＲＥは、制御コマンド内に火災ポーリング１または火災ポーリング２の制御内容を含め、送信することによって、電源兼信号線Ｃ、Ｌ１〜Ｌｎ間に接続されている火災感知器ＳＥの情報を収集することができ、ここでは、火災受信機ＲＥは、各火災感知器ＳＥから火災発報信号の有無を示す情報を収集している。
【００６０】
なお、実施例１では、図２に示すように、電源兼信号線Ｃ、Ｌ１〜Ｌｎの各回線毎に、信号送信回路１２と信号受信回路１３とが設けられているので、回線毎に、火災感知器ＳＥと信号のやり取りを行い、そのため、上記制御コマンド火災ポーリング１中の回線指定の部分は無視してもよい。そして、１つの回線に接続され、アドレス指定されている火災感知器ＳＥは、３０個までである。
【００６１】
このようにして、Ｐ型火災報知設備ＰＳ１は、各火災感知器ＳＥからの火災信号は、回線毎に、火災検出回路１４によって火災受信機ＲＥが検出するとともに、信号送信回路１２と信号受信回路１３によって、火災発報信号を出力した火災感知器がどれであるかを、火災受信機ＲＥが認識することができる。
【００６２】
なお、火災感知器ＳＥが、火災受信機ＲＥからの火災ポーリングを誤って検出した場合、自己の火災感知器に対応するスロットでは何も応答しない。また、火災ポーリングがエラーであった場合（存在しないアドレス、無応答異常中のアドレスから応答があった場合等）、火災ポーリングを１回リトライする。さらに、火災ポーリング２（スロット１４に対するポーリング）から、所定時間（たとえば３４０〜２７０ｍｓ）以内に、火災ポーリングを再び受信しなければ、「火災ポーリング成立」と判断する。リトライ後も、これと同様である。この火災ポーリング成立、または火災パルス送出後に、所定時間（たとえば３４０〜２７０ｍｓ）が経過すると、確認灯を点灯し、火災受信機ＲＥから復旧されるまで、回線をＬｏレベルに保持する。火災感知器ＳＥは、火災受信機ＲＥから復旧を受信すると、通常監視状態に戻る。
【００６３】
ここで、図７に示す火災ポーリング伝送に使われている伝送フォーマット（すなわち、起動パルスと、基準パルスと、火災ポーリングと、伝送待機と、スロット）は、本発明の発明者が特開２００３−１０９１３６号公報で開示している火災感知器のフォーマットにおいて、故障検出フォーマットと検出フォーマットとのコマンドを変えた点以外は、同一フォーマットである。
【００６４】
すなわち、実施例１において、火災発報検出用フォーマットと故障検出フォーマットとを共通化しているので、伝送部分のソフトを共通化することができ、ソフトの処理を簡略化することができる。また、火災感知器から見れば、コマンドの違いで火災伝送か故障伝送かを見分けることができるので、１回の伝送で複数の情報（火災発報・故障）を一括で収集することができる。
【００６５】
つまり、火災感知器ＳＥは、火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを有するＰ型火災報知設備における火災感知器の例である。
【００６６】
この場合、上記火災発報有無通知手段は、パルス幅を変えることによって、火災発報の有無を区別する手段である。
【００６７】
また、火災報知設備ＰＳ１は、複数の火災感知器回線と、上記各火災感知器回線を介してスイッチング動作による火災発報信号を出力する火災発報手段と、火災発報してから所定時間が経過した後に、上記火災発報を停止する火災発報停止手段と、上記火災発報を停止してから、所定のタイミングで、火災受信機に火災発報したか否かを通知する火災発報有無通知手段とを具備する複数の火災感知器と、上記複数の火災感知器回線に接続され、火災信号受信手段と、上記複数の火災感知器をポーリングするポーリング手段とを具備する火災受信機とを有するＰ型火災報知設備の例である。
【００６８】
この場合、火災報知設備ＰＳ１は、上記火災感知器が火災発報を停止したタイミングを検出する火災発報停止タイミング検出手段を有し、上記ポーリング手段は、上記火災発報停止タイミングの後に、所定のコマンドを、火災感知器に送信することによって、ポーリングする手段である。
【００６９】
さらに、上記ポーリング手段は、所定時間毎に所定のパルスを出力するフォーマットによって、複数の上記火災感知器をポーリグする手段である。そして、上記火災感知器は、上記フォーマットにおける複数の上記所定パルスの所定個数目のパルスを受信したときに、自己の火災感知器がポーリングされたと認識する火災感知器である。
【００７０】
上記実施例によれば、Ｐ型火災報知設備において、火災発報信号を発生したか否かを検出する対象である火災感知器の数が多くても、１つのコマンドによって、火災発報信号を発生したか否かを検出するので、火災発報信号を発生したか否かを検出する動作を制御するソフトウェアが簡素である。
【００７１】
また、上記実施例によれば、Ｐ型火災報知設備において、火災発報信号を発生したか否かを検出する対象である火災感知器の数が多くても、全ての火災感知器についてどの火災感知器が発報したかを検出する時間が長くならない。
【図面の簡単な説明】
【００７２】
【図１】本発明の実施例１であるＰ型火災報知設備ＰＳ１を示す図である。
【図２】上記実施例における火災受信機ＲＥ１の構成を示すブロック図である。
【図３】上記実施例における火災感知器ＳＥ１の構成を示すブロック図である。
【図４】図３の伝送送信回路４１を示す回路図である。
【図５】図３の伝送受信回路４２を示す回路図である。
【図６】図３の確認灯回路８０を示す回路図である。
【図７】上記実施例におけるポーリング伝送の例を示す図である。
【図８】上記実施例の説明図である。
【図９】上記実施例の説明図である。
【図１０】上記実施例の説明図である。
【符号の説明】
【００７３】
ＲＥ、ＲＥ１…火災受信機、
ＳＥ、ＳＥ１…火災感知器、
ＰＳ１…Ｐ型火災報知設備、
１２…信号送信回路、
１３…信号受信回路、
１４…火災検出回路、
１５…断線検出回路、
４１…送信回路、
４２…受信回路、
７１…マイコン、
８１…クロック発振回路。
【図１】
2005293234.tif 000003
【図２】
2005293234.tif 000004
【図３】
2005293234.tif 000005
【図４】
2005293234.tif 000006
【図５】
2005293234.tif 000007
【図６】
2005293234.tif 000008
【図７】
2005293234.tif 000009
【図８】
2005293234.tif 000010
【図９】
2005293234.tif 000011
【図１０】
2005293234.tif 000012